(57)【要約】【課題】容易に取り付けることが可能な室内照明装置を提供する。【解決手段】室内照明装置１はバルブ１２を設置したベース部８と、ベース部８に設けられかつルーフトリム２が重ねられるルーフパネル４に固定される固定ばね１０と、ベース部８の外縁に設けられかつルーフトリム２の開口３の周縁部と当接する当接支持部１１と、ベース部８の一端部のみに設けられかつルーフトリム２に回転自在に取り付けられるトリム固定部９とを備えている。【選択図】図２
2008302862.tif 000002
【特許請求の範囲】
【請求項１】
車両の内装材に設けられた開口内に取り付けられるとともに、光源を有する機能部を有した室内照明装置であって、
前記光源を設置したベース部と、
前記ベース部に設けられ、かつ前記内装材が重ねられるパネル部材に固定されるパネル固定部と、
前記ベース部の外縁に設けられ、かつ内装材の前記開口の周縁部と当接する当接支持部と、
前記ベース部の一端部のみに設けられ、かつ前記内装材に回転自在に取り付けられるトリム固定部と、
を備えたことを特徴とする室内照明装置。
【請求項２】
前記パネル固定部が、ベース部の当接支持部及びトリム固定部の両側の外縁部に複数設けられていることを特徴とする請求項１記載の室内照明装置。
【請求項３】
前記トリム固定部の表面が平坦に形成されているとともに、
前記光源に電力を供給するためのコネクタ部が、前記トリム固定部の表面上に設けられていることを特徴とする請求項１又は請求項２記載の室内照明装置。
【発明の詳細な説明】
【技術分野】
【０００１】
本発明は、車両としての自動車のルーフトリム等に取り付けられて前記自動車の乗員室内を照明する室内照明装置に関する。
【背景技術】
【０００２】
従来より、車両としての自動車には、その乗員室の天井に種々の室内照明装置（例えば、特許文献１を参照。）が取り付けられている。この種の室内照明装置は、乗員室の天井の内装材としてのトリムに設けられた開口内に挿入された状態で、当該天井に取り付けられる。特許文献１に示された室内照明装置は、前記乗員室側に露出する意匠部と、光源やスイッチなどを備えかつ前記意匠部に取り付けられる機能部とを備えている。
【０００３】
意匠部は、光を透過可能な透明又は半透明な合成樹脂で構成され、平板状に形成されている。機能部は、前記光源やスイッチなどを設置したベース板部と、このベース板部から立設したトリム固定部及びパネル固定部と、ベース板部に設けられた押さえ部と、を備えている。
【０００４】
ベース板部は、平面形状が矩形状の平板状に形成されている。ベース板部は、意匠部に重ねられて、当該意匠部に取り付けられる。ベース板部は、乗員室の天井に位置するトリムの開口内に挿入される。トリム固定部は、二つ設けられている。トリム固定部は、ベース板部の対角線上に位置する当該ベース板部の隅部に設けられている。トリム固定部は、乗員室の天井に位置するトリムの開口の周縁部に係止して、当該トリムに固定される。
【０００５】
パネル固定部は、二つ設けられている。パネル固定部は、トリム固定部が設けられていないベース板部の対角線上に位置する当該ベース板部の隅部に設けられている。パネル固定部は、乗員室の天井に位置するトリムが重ねられるパネルに係合して、当該パネルに固定される。押さえ部は、ベース板部の外縁部に設けられている。押さえ部は、トリムの開口の周縁部に当接する。
【０００６】
前述した構成の特許文献１に示された室内照明装置は、ベース板部にスイッチや光源が取り付けられて、当該ベース板部に意匠部が取り付けられて、組み立てられる。そして、室内照明装置は、前述したトリムに設けられた開口内に挿入されて、トリム固定部がトリムの開口の周縁部を係止した後、パネル固定部がパネルに係合して、前述した乗員室の天井に取り付けられる。すると、パネル固定部がパネルに係合するので、ベース板部がパネルとの間にトリムを挟んで、室内照明装置は、当該トリムを固定する。
【特許文献１】特開２００３−４００３２号公報
【発明の開示】
【発明が解決しようとする課題】
【０００７】
しかしながら、上述した従来の室内照明装置は、パネル固定部が２箇所に設けられているので、乗員室の天井に取り付ける際に、ベース板部を天井と平行な状態に保って、前述した開口内に挿入していかなければならなかった。このため、取付時に、すべてのトリム固定部がパネルの開口の周縁部に係止したか否かを確認することが困難で、すべてのパネル固定部がパネルに係合したか否かを確認することが困難であった。
【０００８】
このように、従来の室内照明装置は、取付作業時に、トリム固定部とパネル固定部の固定状況を把握することが困難で、容易に乗員室の天井等に取り付けることができなかった。又、パネル固定部が、ロックしてもガタが生じ、ぶかつきが生じてしまう。
【０００９】
従って、本発明の目的は、容易にかつぶかつきのない取り付けることが可能な室内照明装置を提供することにある。
【課題を解決するための手段】
【００１０】
上述した課題を解決し目的を達成するために、請求項１に記載された本発明の室内照明装置は、車両の内装材に設けられた開口内に取り付けられるとともに、光源を有する機能部を有した室内照明装置であって、前記光源を設置したベース部と、前記ベース部に設けられ、かつ前記内装材が重ねられるパネル部材に固定されるパネル固定部と、前記ベース部の外縁に設けられ、かつ内装材の前記開口の周縁部と当接する当接支持部と、前記ベース部の一端部のみに設けられ、かつ前記内装材に回転自在に取り付けられるトリム固定部と、を備えたことを特徴としている。
【００１１】
請求項２に記載された本発明の室内照明装置は、請求項１に記載された室内照明装置において、前記パネル固定部が、ベース部の当接支持部及びトリム固定部の両側の外縁部に複数設けられていることを特徴としている。
【００１２】
請求項３に記載された本発明の室内照明装置は、請求項１又は請求項２に記載された室内照明装置において、前記トリム固定部の表面が平坦に形成されているとともに、前記光源に電力を供給するためのコネクタ部が、前記トリム固定部の表面上に設けられていることを特徴としている。
【００１３】
請求項１に記載された本発明の室内照明装置によれば、トリム固定部がベース部の一端部のみに設けられ、かつ内装材に回転自在に取り付けられるので、内装材の開口の周縁部を当接支持部とトリム固定部とで挟み込んで、当該トリム固定部を中心として回転することで、ベース部を開口内に挿入して、内装材と室内照明装置を上下のがたつきなしで取り付けることができる。
【００１４】
請求項２に記載された本発明の室内照明装置によれば、パネル固定部が当接支持部及びトリム固定部の両側に複数設けられているので、複数個所でパネル部材に固定でき、パネル部材に確実に固定することができる。
【００１５】
請求項３に記載された本発明の室内照明装置によれば、トリム固定部の表面が平坦に形成されて、当該表面上にコネクタ部を設けているので、当該コネクタ部にコネクタを接続する際に、当該コネクタを前述した表面で案内することができる。
【発明の効果】
【００１６】
請求項１に記載の本発明は、内装材の開口の周縁部を当接支持部とで挟み込んで、取り付けられたトリム固定部を中心として回転することで、ベース部を取り付けることができるので、トリム固定部が内装材に確実に取り付けられたことを確認した後、パネル固定部をパネルに固定できるとともに、ベース部を回転させてパネル固定部をパネル部材に取り付けるので、当該パネル固定部がパネル部材に固定されことを確認することができる。したがって、トリム固定部及びパネル固定部が確実に所望の部材に取り付けられたか否かを確実に把握しながら、取り付けることができるので、容易に乗員室の天井などに取り付けることができる。また、内装材の開口の周縁部を当接支持部とトリム固定部とで挟み込むことで、上下のがたつきをなくす為、パネル固定部で固定することにより、ぶかつきをなくすことができる。
【００１７】
請求項２に記載の本発明は、パネル固定部が当接支持部及びトリム固定部の両側に複数設けられているので、複数個所でパネル部材に固定でき、パネル部材に組み付け易く確実に固定することができる。
【００１８】
請求項３に記載の本発明は、コネクタ部にコネクタを接続する際に、当該コネクタを前述した表面で案内することができるので、より容易に乗員室の天井などに取り付けることができる。
【発明を実施するための最良の形態】
【００１９】
以下、本発明の一実施形態に係る室内照明装置を図１ないし図６を参照して説明する。図１は、本発明の一実施形態に係る室内照明装置の分解斜視図である。図２は、図１に示された室内照明装置の要部の断面図である。図３は、図２中のＩＩＩ−ＩＩＩ線に沿った断面図である。
【００２０】
本実施形態における室内照明装置１とは、車両としての自動車の内装材としてのルーフトリム２に設けられた開口３内に取り付けられて前記自動車の乗員室内を照明する装置である。また、ルーフトリム２とは、自動車の天井を構成する合成樹脂で構成される部品であり、乗員室の内側に取り付けられるものである。さらに、ルーフトリム２は、自動車の車体の天井を構成する板金で構成されたルーフパネル４（パネル部材に相当し、図１などに示す）に重ねられて、当該ルーフパネル４に取り付けられる。勿論、ルーフパネル４には、ルーフトリム２に設けられた開口３と連通し、かつ当該開口３よりも小さい開口５が設けられている。
【００２１】
上記室内照明装置１は、図１に示すように、意匠部６と、機能部７とを備えている。意匠部６は、室内照明装置１が開口３内に取り付けられると、乗員室側に露出する。意匠部６は、機能部７に設けられた後述するバルブ１２が発する光を透過することが可能な透明又は半透明な合成樹脂で構成されて、平板状に形成されている。
【００２２】
機能部７は、図１に示すように、ベース部８と、トリム固定部９と、パネル固定部としての固定ばね１０と、当接支持部１１とを備えている。ベース部８は、平面形状が矩形状の平板状に形成されている。ベース部８には、光源としてのバルブ１２（図３に示す）や、このバルブ１２への電力のオンオフを切り換えるスイッチ１３（図１に示す）などが設置されている。ベース部８は、意匠部６のルーフパネル４側に重ねられて、当該意匠部６に取り付けられる。
【００２３】
トリム固定部９は、ベース部８の長手方向の一端部のみに設けられている。図示例では、トリム固定部９は、２箇所設けられている。トリム固定部９は、ベース部８のルーフパネル４と相対する表面から凸に当該ベース部８に一体に設けられている。トリム固定部９は、図２に示すように、そのベース部８の外縁側の外側面から凹の凹み１４が設けられている。凹み１４は、前述した外側面からベース部８の表面に沿って当該ベース部８の内側に向かって延在している。
【００２４】
凹み１４は、その内側にルーフトリム２の開口３の周縁部を位置付けることが可能でかつその内側でルーフトリム２の開口３の周縁部を回転自在とする。トリム固定部９は、凹み１４内にルーフトリム２の開口３の周縁部を位置付けることで、当該ルーフトリム２に取り付けられるとともに、凹み１４内で前述した周縁部を回転自在とすることで、ルーフトリム２に対して、回転自在となる。このように、トリム固定部９は、ルーフトリム２に回転自在に取り付けられる。また、トリム固定部９の図２中の上側に位置する表面９ａは、ベース部８の両表面に沿って平坦に形成されている。さらに、トリム固定部９は、ルーフトリム２の開口３の周縁部を凹み１４内に位置付けて、当接支持部１１との間に挟みこむことで、隙間なく固定される。
【００２５】
固定ばね１０は、ベース部８の当接支持部１１及びトリム固定部９の両側の外縁部に複数設けられている。図示例では、固定ばね１０は、四つ設けられている。固定ばね１０は、板金を折り曲げるなどして構成されており、ベース部８のルーフパネル４と相対する表面から立設した状態で、当該ベース部８に取り付けられている。固定ばね１０は、ベース部８の外縁部に設けられているとともに、当該ベース部８の長手方向と幅方向とに互いに間隔をあけて配置されている。
【００２６】
固定ばね１０は、図３に示すように、ベース部８に固定されかつ当該ベース部８から立設した立設部１５と、この立設部１５のベース部８から離れた側の端に連なってベース部８に向かって延在して、ベース部８の外側に凸状に湾曲した湾曲部１６とを備えている。固定ばね１０は、湾曲部１６のベース部８寄りの端が自由端となっており、当該端が立設部１５に接離するように弾性変形自在となっている。固定ばね１０は、ベース部８との間にルーフパネル４の開口５の周縁部を位置付けて、当該ルーフパネル４に係止する。そして、固定ばね１０は、ルーフパネル４に係止して、当該ルーフパネル４に固定される。
【００２７】
当接支持部１１は、ベース部８の外縁に一体に設けられている。当接支持部１１は、図示例では、ベース部８の全周に亘って設けられている。当接支持部１１は、ベース部８の外縁からベース部８の両表面に沿って、当該ベース部８の外側に凸に形成されている。当接支持部１１は、室内照明装置１がルーフトリム２の開口３内に収容されて、取り付けられると、ルーフトリム２の開口３の周縁部に当接して、当該周縁部を支持する。
【００２８】
また、前述した機能部７のベース部８は、前述したバルブ１２やスイッチ１３などと接続した電線１７が所定のパターンで配索（配線）されているとともに、図４及び図５に示すように、当該電線１７即ちバルブ１２やスイッチ１３と自動車の車体側のワイヤハーネス１８のコネクタ１９などと接続するためのコネクタ部２０が設けられている。ワイヤハーネス１８は、図４及び図５に示すように、勿論、車体に設けられたバッテリなどの電源などと接続した複数の電線２１と、当該電線２１の端末に取り付けられたコネクタ１９などを備えている。このように、コネクタ部２０は、バルブ１２に電力を供給するために用いられる。
【００２９】
コネクタ部２０は、コネクタハウジング２２と、当該コネクタハウジング２２に収容されて前述した電線１７などと接続した端子金具とを備えている。コネクタハウジング２２は、筒状に形成され、前述したコネクタ１９と嵌合する。コネクタハウジング２２即ちコネクタ部２０は、トリム固定部９の前述した表面９ａ上に設置されている。コネクタハウジング２２即ちコネクタ部２０は、トリム固定部９の前述した表面９ａのベース部８の内側寄りの端部に配置されている。コネクタハウジング２２は、その開口がベース部８の外側に相対している。
【００３０】
コネクタ部２０がトリム固定部９の前述した表面９ａ上に設置されているので、このコネクタ部２０にワイヤハーネス１８のコネクタ１９が嵌合する際に、前述した表面９ａがコネクタ１９をコネクタ部２０に案内することとなる。
【００３１】
前述した実施形態の室内照明装置１は、ベース部８にバルブ１２、スイッチ１３が取り付けられかつ電線１７が配索されて、機能部７が組み立てられる。そして、機能部７に意匠部６が取り付けられて、前述した実施形態の室内照明装置１が組み立てられる。
【００３２】
そして、前述した実施形態の室内照明装置１は、自動車の天井に取り付けられる際には、まず、図４に示すように、コネクタ１９とコネクタ部２０の開口とを相対させて、表面９ａで案内して、前述したワイヤハーネス１８のコネクタ１９をコネクタ部２０に近づける。そして、図５に示すように、コネクタ部２０にワイヤハーネス１８のコネクタ１９を嵌合させる。
【００３３】
その後、図６に示すように、ベース部８の一端部をルーフトリム２の開口３内に挿入して、トリム固定部９の凹み１４内に開口３の周縁部を位置付ける。そして、凹み１４内にルーフトリム２の開口３の周縁部を位置付けたまま、トリム固定部９を中心として、ベース部８の他端部がルーフトリム２に近づく方向に、ベース部８を回転させて、当該ベース部８を開口３内に挿入する。
【００３４】
すると、固定ばね１０がルーフパネル４の開口５内に進入して、湾曲部１６が一旦ベース部８の内側に弾性変形した後、当該湾曲部１６上をルーフパネル４が乗り越えて、この湾曲部１６即ち固定ばね１０が弾性変形していない中立状態に復帰する。このように、固定ばね１０がルーフパネル４の開口５の周縁部に係止して、当該固定ばね１０がルーフパネル４に固定される。
【００３５】
また、固定ばね１０がルーフパネル４に固定されると、当接支持部１１がルーフトリム２の開口３の周縁部を支えることとなる。こうして、図２及び図３に示すように、室内照明装置１が、自動車などの天井に取り付けられる。
【００３６】
本実施形態によれば、トリム固定部９がベース部８の一端部のみに設けられ、かつルーフトリム２に回転自在に取り付けられるので、トリム固定部９をルーフトリム２の開口３の周縁部に取り付けて、当該トリム固定部９を中心として回転することで、ベース部８を開口３内に挿入して、取り付けることができる。
【００３７】
このため、トリム固定部９がルーフトリム２に確実に取り付けられたことを確認した後、固定ばね１０をルーフパネル４に固定できるとともに、ベース部８を回転させて固定ばね１０をルーフパネル４に取り付けるので、当該固定ばね１０がルーフパネル４に固定されことを確認することができる。したがって、トリム固定部９及び固定ばね１０が確実に所望の部材に取り付けられたか否かを確実に把握しながら、取り付けることができるので、容易に乗員室の天井などに取り付けることができる。また、ルーフトリム２の開口３の周縁部を当接支持部１１とトリム固定部９とで挟み込むことで、上下のがたつきをなくす為、固定ばね１０で固定することにより、ぶかつきをなくすことができる。
【００３８】
また、固定ばね１０がベース部８の当接支持部１１及びトリム固定部９の両側に複数設けられているので、複数個所でルーフパネル４に固定でき、ルーフパネル４に組み付け易く確実に固定することができる。
【００３９】
さらに、トリム固定部９の表面９ａが平坦に形成されて、当該表面９ａ上にコネクタ部２０を設けているので、当該コネクタ部２０にコネクタ１９を接続する際に、当該コネクタ１９を前述した表面９ａで案内することができる。したがって、コネクタ部２０にコネクタ１９を容易に嵌合させることができ、より容易に乗員室の天井などに取り付けることができる。
【００４０】
前述した実施形態では、トリム固定部９を２箇所のみ設けている。しかしながら、本発明では、トリム固定部９をベース部８の一端部に設ければ、１箇所でも３
箇所以上設けても良い。さらに、本発明では、トリム固定部９を、ベース部８の長手方向の一端部に限らず、幅方向の一端部などの種々の箇所、即ち、トリム固定部９をベース部８の端部であれば、如何なる箇所に設けても良い。
【００４１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４２】
【図１】本発明の一実施形態に係る室内照明装置を示す分解斜視図である。
【図２】図１に示された室内照明装置の要部の断面図である。
【図３】図２中のＩＩＩ−ＩＩＩ線に沿った断面図である。
【図４】図１に示された室内照明装置のコネクタ部を拡大して示す斜視図である。
【図５】図４に示されたコネクタ部にコネクタが嵌合した状態を示す斜視図である。
【図６】図１に示された室内照明装置を取り付ける過程を示す断面図である。
【符号の説明】
【００４３】
１  室内照明装置
２  ルーフトリム（内装材）
３  開口
７  機能部
８  ベース部
９  トリム固定部
９ａ  表面
１０  固定ばね（パネル固定部）
１１  当接支持部
１２  バルブ（光源）
２０  コネクタ部
【図１】
2008302862.tif 000003
【図２】
2008302862.tif 000004
【図３】
2008302862.tif 000005
【図４】
2008302862.tif 000006
【図５】
2008302862.tif 000007
【図６】
2008302862.tif 000008